(57)【要約】【課題】手を使わないハンズフリーの状態で飲料できるし、残量が少なくなっても強い吸引力を使わずに飲料することができるので病人、高齢者などにも安全性、取扱い性に優れている吸引式飲料容器を提供する。【解決手段】容器本体１の下端に設けた口部１Ｄには、液流通穴を有する蓋体２が気液密に螺合してある。蓋体２には弾性収容袋３が気液密に取着してあり、液流通穴を介して容器本体１と連通している。弾性収容袋３には下端側を気液密に挿通し、上端側は容器本体１まで伸長して上端は吸口部４Ｂになった吸飲管４が設けてある。弾性収容袋３を収容保護する保護カバー５が吸飲管４を支持した状態で容器本体１に嵌着してある。容器本体１には容器保持体７が係脱可能に係着してある。【選択図】図２
0003132419.tif 000002
【実用新案登録請求の範囲】
【請求項１】
口部を下端に有する容器本体と、液流通穴を有し、該口部に気液密に嵌着する蓋体と、該蓋体に気液密に取着され、前記液流通穴に連通する弾性収容袋と、該弾性収容袋に下端側の吸引口を気液密に挿通し、上端側の吸口部は前記容器本体の上部側まで伸長させ、保持体により所定の姿勢に保持する吸飲管と、前記容器本体に係脱可能に係着し、該容器本体を所定の姿勢に保持する容器保持体とから構成してなる吸引式飲料容器。
【請求項２】
前記弾性収容袋は、前記容器本体又は蓋体に取着する硬質カバーによって覆ってあることを特徴とする請求項１記載の吸引式飲料容器。
【請求項３】
前記硬質カバーは、載置型の容器保持体を兼ねていることを特徴とする請求項２記載の吸引式飲料容器。
【請求項４】
前記容器保持体は、相手方部材に係着可能な取着部と、該取着部に回動可能に設けられ、前記容器本体を着脱可能に保持するホルダー部とから構成してあることを特徴とする請求項１記載の吸引式飲料容器。
【請求項５】
前記容器保持体は、前記容器本体を上下逆向きに変換可能であることを特徴とする請求項４記載の吸引式飲料容器。
【考案の詳細な説明】
【技術分野】
【０００１】
本考案は、例えば自動車の運転中、自転車に乗っているとき、寝たままの状態でも、手を使わずに飲料を飲むことができる安全性や利便性に優れた吸引式飲料容器に関する。
【背景技術】
【０００２】
一般に、飲料容器内の飲料を手を使わないハンズフリーの状態で飲む場合は、安定した状態にある飲料容器にストローを差込み、強く吸引することで可能であるが、容器内の飲料の残量が少なくなると、相当の吸引力を働かせないと飲料を吸い上げることができないという問題がある。また、飲料容器に口を付けて直接飲む場合は、頭を後方に傾け顎を上に上げながら飲む姿勢になっている。
【０００３】
このように、自動車の運転者は視線が前方から外れ、運転に対する注意力が損われるという危険な状態になり、事故の原因にもなっている。また、横に寝たままの状態の人が吸引するには姿勢に無理があるし、特に病人や高齢者のように吸引力が弱い人の場合には、吸引が殆ど無理であるのが現状である。そこで、飲料容器から飲料を哺乳瓶や吸呑に移し変えて飲むことが行われている。
【特許文献１】なし
【考案の開示】
【考案が解決しようとする課題】
【０００４】
本考案は上述した従来技術の欠点に鑑みなされたもので、手を使わないハンズフリーの状態で飲料できるし、顔の向きを変えずに、また強い吸引力を使わずに飲用することができるので、運転中の人、病人、高齢者などにとって安全性、取扱い性に優れている吸引式飲料容器を提供することを目的とする。
【課題を解決するための手段】
【０００５】
上述した課題を解決するために構成された本考案の手段は、口部を下端に有する容器本体と、液流通穴を有し、該口部に気液密に嵌着する蓋体と、該蓋体に気液密に取着され、前記液流通穴に連通する弾性収容袋と、該弾性収容袋に下端側を気液密に挿通され、上端側は前記容器本体まで伸長して上端は吸口部になった吸飲管と、前記容器本体又は蓋体に設けられ、該吸引管を所定の姿勢を保持する支持体と、前記容器本体に係脱可能に係着されて該容器本体を所定の姿勢に保持する容器保持体とからなる。
【０００６】
そして、前記弾性収容袋は、前記容器本体又は蓋体に取着する硬質カバーによって覆った構成にするとよい。
【０００７】
また、前記硬質カバーは、載置型の容器保持体を兼ねた構成にするとよい。
【０００８】
更に、前記容器保持体は、相手方部材に係着可能にするとよい。
【０００９】
また、前記容器保持体は、前記容器本体を上下逆向きに変換可能にするとよい。
【考案の効果】
【００１０】
本考案は以上詳述した如く構成したから、下記の諸効果を奏する。
（１）使用者は手を使わずに、吸飲管を咥えるだけで飲料を飲むことができるので、顔を上向きにする必要がなく自動車の運転中でも安全であるし、寝た状態でも飲用できるので楽である。
（２）飲料は弾性収容袋に常時補給されているから、強く吸引しなくても容易に飲用することができ、吸引力の弱い高齢者や病人も楽に飲用できる。
（３）容器本体には市販のペットボトルを使用できるから、種々の飲料を飲むのに対応できる。
（４）容器本体は、容器保持体によって相手方部材に支持させることができるので、場所を選ばずに使用することができる。
【考案を実施するための最良の形態】
【００１１】
以下、本考案の実施の形態を図面に基づき詳述する。図において、１は例えば合成樹脂によって成形した容器本体で、該容器本体１は、円筒状の胴部１Ａと、該胴部１Ａの上端を閉塞する天面部１Ｂと、容器本体１Ａの下側に先窄まりの肩部１Ｃに続いて形成され、外周に雄ねじが形成してある小径の口部１Ｄを一体に成形したものからなる。この容器本体１には、市販の清涼飲料のペットボトルを上下逆向きの状態にして使用することができる。
【００１２】
２は前記容器本体１の口部１Ｄに気液密に螺着する蓋体で、該蓋体２は内周に雌ねじを有する嵌合部２Ａと、該嵌合部２Ａの一端に形成した閉塞部２Ｂと、該閉塞部２Ｂの略中心に形成した液流通穴２Ｃとから構成してある。
【００１３】
３は前記蓋体２の閉塞部２Ｂに上部側３Ａを接着することに気液密に設けた弾性収容袋を示し、該弾性収容袋３は前記液流通穴２Ｃを介して容器本体１と連通している。ここで、弾性収容袋３は例えばシリコンゴムなどからなるが、適度の柔軟性と十分な強度性を有するものが望ましい。また、その容量は使用者が１〜２回に飲用できる程度の量を収容できるものがよく、あまり大きな容量は吸込み性の点で好ましくない。
【００１４】
４はストローである吸飲管で、該吸飲管４は下端側の吸引口部４Ａが斜め下方に位置し、上端側の吸口部４Ｂが容器本体の上部側に位置する長さに設定してある。そして、吸飲管４は吸引口部４Ａを弾性収容袋３の上部寄りの位置に僅かに挿入してシーリング剤で気液密に封止してある。
【００１５】
５は弾性収容袋３を保護すると共に、載置台にもなる合成樹脂製の保護カバーを示す。該保護カバー５は弾性収容袋３より大径の円板からなる底部５Ａと、該底部５Ａの外周から起立する円筒部５Ｂと、該円筒部５Ｂの上縁側に周方向に離間して形成してある複数の係止突起５Ｃ、５Ｃ、・・と、該円筒部５Ｂの上端に嵌脱可能に設けられ、前記係止突起５Ｃに係合する円板からなる受け板部５Ｄと、該受け板部５Ｄの略中心に形成され、容器本体１の肩部１Ｃに係合する開口５Ｅとから構成してある。そして、円筒部５Ｃには、前記吸飲管４が嵌入する切欠き溝５Ｆが上縁から途中まで縦方向に設けてある。
【００１６】
６は吸飲管４を約４５〜５０度の傾斜した状態に保持するために、前記保護カバー５に設けた管支持体を示す。該管支持体６は合成樹脂材で略Ｕ状に形成してあり、前記円筒部５Ｂの内面に保護カバー５の切欠き溝５Ｆ下端から斜め下向きに突設してある。
【００１７】
また、７は容器本体１を安定性よく所定の状態に保持するための容器保持体を示す。該容器保持体７は、例えば自動車のダッシュボードの吹出し口、ベッドのヘッドボードなどの相手方部材に着脱可能に係着する取着部７Ａと、該取着部７Ａに回転支持部７Ｂを介して縦方向に回動可能に設けた横断面略Ｃ字状のホルダー部７Ｃとから構成してある。そして、ホルダー部７Ｃは合成樹脂材で成形することにより、拡開する弾性を有している。
【００１８】
本実施の形態は上述の構成からなるが、次にその作用について説明する。図３に示すように、先ず、容器本体１は口部１Ｄを上向きの状態にして保護カバー５と蓋体２を外す。この状態で、保護カバー５の受け板部５Ｄは容器本体１に嵌合したままでよい。そこで、口部１Ｄから所望の飲料を充填したら、逆の順序で蓋体２を締め、吸飲管４が管支持体６に衝合するように位置合わせして弾性収容袋３に保護カバー５を被せる。
【００１９】
しかる後、容器保持体７のホルダー部７Ｃに容器本体１を嵌合し、容器本体１を回転して保護カバー５を下に位置させたら、容器保持体７を相手方部材に係着する。逆転した容器本体１内の飲料は重力により液流通穴２Ｃから弾性収容袋３内に流入し、弾性収容袋３が満杯になると共に吸飲管４の吸引口部４Ａが飲料によって閉塞され、容器本体１内は飲料が流出した分が真空になることにより、飲料の流入は停止する。
【００２０】
使用者は、吸飲管４の吸口部４Ｂを随時咥えて吸引することにより、弾性収容袋３内の飲料を吸飲する。吸飲により弾性収容袋３内の飲料が減少して弾性収容袋３は萎むが、使用者が口を離すと吸引口部４Ａが開放して吸飲管４から外気が弾性収容袋３を介して容器本体１内に流入する。これにより、容器本体１の負圧が低減して弾性収容袋３に飲料が流入するが、吸引口部４Ａが飲料で再び閉塞することにより流入が停止する。このようにして、使用者は吸飲管４を咥えて吸引することにより、容器本体１を手にすることなくフリーハンドで任意に適量を飲用することができる。
【００２１】
図４は容器保持体７を用いずに、容器本体１を保護カバー５でテーブルなどの相手方部材に載置して使用する状態を示す。
【００２２】
図５は第２の実施の形態を示す。なお、本実施の形態において前述した第１の実施の形態の構成要素と同一の構成要素には同一の符号を付して援用し、その説明は省略する。図において、１１は保護カバーを示し、該保護カバー１１は円板状の底部１１Ａと、該底部１１Ａの外周から起立し、容器本体１の胴部１Ａに嵌合する深い円筒部１１Ｂとからなり、該円筒部１１Ｂには後述する管支持体１２が嵌入する幅の切欠き部１１Ｃが上縁から縦方向に形成してある。
【００２３】
１２は吸飲管４を支持するための管支持体で、該管支持体１２はヘラ状の基板１２Ａと、該基板１２Ａの長手方向一側に形成され、容器本体１の口部１Ｄ側が遊嵌して肩部１Ｃに係合する容器嵌合穴１２Ｂと、基板１２Ａの他側に形成した管挿通穴１２Ｃとから形成してある。そして、管支持体１２は容器本体１に容器嵌合穴１２Ｂを嵌合した状態で、容器本体１に対して回動自在に係合してある。
【００２４】
本実施の形態によれば、吸飲管４は管支持体１２により所定の角度に支持し、保護カバー１１を容器本体１に嵌合することにより、第１の実施の形態と同様にして使用することができる。この場合、管支持体１２は容器本体１に対して回動自在であるから、組み立てが容易である。
【００２５】
本考案によれば、蓋体２をペットボトルの口部に適合するサイズに設定しておけば、種々の飲料のペットボトルに使用することができる。
【００２６】
なお、弾性収容袋３を収納する硬質カバーは、蓋体２に取着する構成にしてもよい。
【図面の簡単な説明】
【００２７】
【図１】図１乃至図４は本考案の第１の実施の形態に係り、図１は吸引式飲料容器の正面図である。
【図２】吸引式飲料容器の一部を破断にして示す側面図である。
【図３】吸引式飲料容器の分解側面図である。
【図４】吸引式飲料容器の他の使用態様を示す側面図である。
【図５】図５及び図６は第２の実施の形態に係り、図５は吸引式飲料容器の一部を破断にして示す側面図である。
【図６】管支持体の斜視図である。
【符号の説明】
【００２８】
１        容器本体
１Ｄ      口部
２        蓋体
２Ｃ      液流通穴
３        弾性収容袋
４        吸飲管
４Ａ      吸引口部
４Ｂ      吸口部
５、１１  保護カバー
６、１２  管支持体
７        容器保持体
７Ａ      取着部
７Ｃ      ホルダー部
【図１】
0003132419.tif 000003
【図２】
0003132419.tif 000004
【図３】
0003132419.tif 000005
【図４】
0003132419.tif 000006
【図５】
0003132419.tif 000007
【図６】
0003132419.tif 000008